(57)【要約】【課題】  糊付機の駆動を暫く停止した際に、糊付ロールの上流側でクロスの波打ち現象が生じることのない壁紙糊付機を得る。【解決手段】  駆動機構により回転駆動される糊付けロールと、この糊付けロールの壁装材搬送上流側で前記壁装材を糊付機本体内に後部側から取り込むための上下ピンチロールと、前記壁装材を糊付けロール表面に押し付けるために上から押さえる押さえロールとを備えた壁紙糊付機において、前記押さえロールを、壁装材の厚みに応じて、薄手の壁紙に対応する第１高さ位置と、厚手の壁紙に対応する第２高さ位置とに選択的に保持する押さえロール保持手段を備えたもの。【選択図】      図２
2006001026.tif 000002
【特許請求の範囲】
【請求項１】
糊付機本体の後部から引き入れたシート状壁装材を複数のロールによって前方へ搬送しながら前記壁装材の裏面に連続的に糊を塗布する壁紙糊付機であって、
駆動機構により回転駆動される糊付けロールと、この糊付けロールの壁装材搬送上流側で前記壁装材を糊付機本体内に後部側から取り込むための上下ピンチロールと、前記壁装材を糊付けロール表面に押し付けるために上から押さえる押さえロールとを備えた壁紙糊付機において、
前記押さえロールを、壁装材の厚みに応じて、薄手の壁紙に対応する第１高さ位置と、厚手の壁紙に対応する第２高さ位置とに選択的に保持する押さえロール保持手段を備えたことを特徴とする自動壁紙糊付機。
【請求項２】
前記押さえロール保持手段として、前記壁紙糊付機本体の両側構体の対向位置に配された押さえロール保持部材を含み、
この押さえロール保持部材が、
本体の両側構体の対向位置に各々形成された回動軸に各々軸支される支点部と、
この支点部から離れた位置で前記押さえロールの端部を各々保持する押さえロール保持部と、
前記第１高さ位置と第２高さ位置とで前記押さえロールを保持する高さ保持機構とを備えたことを特徴とする請求項１に記載の自動壁紙糊付機。
【請求項３】
前記高さ保持機構として、前記本体の両側構体の対向位置に各々形成された支持軸を挿通する挿通孔を前記押さえロール保持部材に備え、
この挿通孔は、前記支持軸に対して上下方向に移動可能な前記支点部を中心とする円弧状の長孔であり、
この長孔の内側に前記支持軸に対して長孔の上端位置又は下端位置で係合する出入り自在のストッパーを備えたことを特徴とする請求項２に記載の自動壁紙糊付機。
【請求項４】
前記上下ピンチロールの両端部において、何れか一方のロールの端部を小径としてピンチ力を低減させたピンチロールを備えたことを特徴とする請求項１〜３の何れか１項に記載の自動壁紙糊付機。
【請求項５】
前記ピンチロールの小径部分が、端部から１８〜２５ｃｍであることを特徴とする請求項４に記載の自動壁紙糊付機。
【請求項６】
前記押さえロールが、中央に小径部と、両端に大径部と、これら小径部と大径部との間にテーパー部とを備えたことを特徴とする請求項１〜５の何れか１項に記載の自動壁紙糊付機。
【発明の詳細な説明】
【技術分野】
【０００１】
本発明は、室内壁面等に貼付されるシート状壁装材の裏面に連続的に糊を塗布する壁紙糊付機に関するものである。
【背景技術】
【０００２】
現在、建築物の内装施工における壁装材の室内壁面への貼付は、現場で専用の壁紙糊付機を用いてシート状の壁装材に連続的に糊を塗布しながら行うのが一般的となっている。このような壁紙糊付機の一般的な構成は、内部に複数のロールが配置された上部構体及び下部構体から構成される糊付機本体を支持脚部上に載置し、上下構体の間に挟み込んだシート状壁装材（以下、クロスと記す）をロールで搬送しながら、下部構体の糊桶から糊をロールで糊上げ、壁装材裏面に転写塗布していくものである。
【０００３】
従来から壁紙糊付機には手動式と自動式とがある。即ち、下部構体上に原反ロールから繰り出したクロスを先端部が本体前方に垂れる状態で載置して上部構体を閉じて下部構体と上部構体の所定ロール間にクロスを挟み込んだ状態にしておく。
【０００４】
手動式装置ではクロス先端を持って前方へ引っ張ることにより、クロスを上下で挟んでいるロールの一部を追従回転させると共に他のロールをギアを介して連動回転させてクロスを糊付機本体の後方から前方へ搬送させながら、途中で糊桶内の糊をその回転によって引き上げている糊付ロールの頂点上で、この糊付ロールから糊が裏面に転写され、糊塗布済み状態で前方から送り出されてくる。また、自動式装置では、所定のロールの軸を電動モータ等の駆動源に連結して回転させることによって、他のロールもギアを介して連動回転するものである。
【０００５】
このような壁紙糊付機の具体的な挙動を、自動壁紙糊付機を例に説明する。図７は従来の自動壁紙糊付機の内部構成を示す説明図である。図に示す通り、糊付機本体１０１を構成する上部構体１０５及び下部構体１０４内には、複数のロールが配列されており、下部構体１０４内には、糊を収容している糊桶１０６が備えられている。
【０００６】
上部構体１０５内には、クロスを糊付機本体内に後部側から取り込むためのピンチロールを構成する上ピンチロール１５１と、クロスに糊付機本体の前部方向への送り出し張力を付与するためのドライブロール１５３と、これら上ピンチロール１５１とドライブロール１５３との間でクロスを上から押さえて追従回転する押さえロール１５２とが、互いに所定間隔で平行に配列されるように、それぞれ上部構体１０５の側板に軸支されている。
【０００７】
また、下部構体１０４内には、前記上ピンチロール１５１と対になってピンチロールを構成する下ピンチロール１４２と、糊上げロール１６１から転写された糊をクロス裏面に塗布する糊付けロール１４１と、糊付けロール１４１に接して糊量を調節するドクターロール１５１と、前記ドライブロール１５３と共にクロスに適度な張力を与えて前部方向へ送り出す均しロール１４４とが、互いに所定間隔を持って平行に配列されるように、下部構体１０４の側板に軸支されている。また糊上げロール１４１は、糊桶１０６の内部両側面に軸支されている。
【０００８】
通常、これら複数のロールの内、下部構体１０４内に配列されたものは全てギアを介して連動するものである。一方、上部構体１０５内に配列されたものは、ドライブロール１５３がギアを介して下部構体１０４のギア系と連動するものであり、上ピンチロール１５１および押さえロール１５２は、他のロールの回転駆動によって後方から前方へ搬送されていくクロスに当接して表面摩擦によって回転するものである。
【０００９】
このような構成の壁紙糊付機を用いた糊付け作業においては、まず、下部構体１０４に対して上部構体１０５を開いた状態とし、糊付機本体１０１の後方に軸支されているクロス原反ＲからクロスＣの先端を引き出し、２つのテンションバーを経て糊付機本体後部に取付けられたスリッタ１２０を通してから、その先端が本体全面側に垂れるようにクロスを下ピンチロール１４２，糊付けロール１４１，均しロール１４４の上に載せ、上部構体１０５を閉じ、クロスの挟み込み状態を得る。
【００１０】
このようにクロスがセットされた状態において、自動壁紙糊付機の場合は駆動制御装置（図示せず）からの寸動指令によって、寸動量だけ駆動が開始される。この初期駆動によってギアでそれぞれ連結された各ロールが所定の周速比で回転を始めると、糊上げロール１６１が糊桶内の糊を載せ上げつつ、糊付けロール１４１へ糊を転写する。糊付けロール１４１の表面へ転写された糊は、ドクターロール１４３で所定量に調整されたのち、押さえロール１５２を経て糊付けロール１４１の頭頂部に送られてくるクロスの裏面に転写塗布される。
【００１１】
糊付けされたクロスは、その後ドライブロール１５３と均しロール１４４とによって張力を与えられた状態で牽引され、均しロール１４４による糊面の均しが行われつつ本体前面に送り出されてくる。寸動量分のクロス裏面への糊付けが行われたら、装置の駆動が一旦止まり、先端の糊付けされていない不要なクロス部分をカッタで切断して糊付準備を終了する。
【００１２】
この糊付準備終了後、実際に必要なクロス長等の条件設定を駆動制御装置へ入力し、駆動制御装置からの作動命令によってモータによる装置の回転駆動が開始されると、裏面全面に糊付けされたクロスが本体前面から送り出され、所望の長さとなるとモータ駆動が停止し、カッタで切断する。この所望長さの糊付け済みクロスが所望枚数得られたら、駆動制御装置からの停止命令によってモータ駆動を停止し、次のクロスの所望長さが入力され、作動命令が生じると再び装置駆動を始める。通常、作業現場ではこの操作が繰り返し行われる。
【００１３】
しかしながら、壁紙糊付機を用いた壁紙への糊の塗布作業においては、作業員の休憩等の時には糊付機の作動を途中で停止することがある。従来の糊付機では、糊付機本体にセットされたままのクロスの自重によるたるみが生じる場合があり、これを防止するために、ピンチロールと押さえロールとの間にクロスをしたから押し上げて張力を付与するロールを更に備えたものが提案されている（特許文献１参照）。
【００１４】
【特許文献１】特開２００１−２５６９５
【発明の開示】
【発明が解決しようとする課題】
【００１５】
しかしながら、最新式の糊付機においては、糊付されるクロスに従来に比べて大きな張力を掛けている。これは、硬いクロス、軟らかいクロス、重いクロス、軽い（薄い）クロス等の種々のクロスの原反ロールの巻き数が減少しても、クロスにシワ、撓み、蛇行等が発生することを防止して、良好な糊付施工を行い、尚且つ、クロス側縁部を確実に裁断するためである。
【００１６】
このため、作業員の休憩等の時には糊付機の作動を途中で停止した場合、伸縮性が大きな壁紙では、糊の水分移行により壁紙が幅方向に伸びるため、糊付ロールのクロス搬送上流側で種々のクロスの波打ち現象が現れ、このために、糊付けロールの表面に当接することなく搬送されてしまい、部分的に糊の塗布が成されないクロス片が発生してしまう場合があった。
【００１７】
図８は波打ち現象等が生じたクロスの状態を模式的に示した説明図である。図に示す通り、糊付ロールの頂部に当接した位置１８１から押さえロールが当接した位置１８２にかけてクロスの波打ちが発生し糊付されない部分１８３が生じ、押さえロールが当接した位置１８２の両側部には、略三角形状の糊付されない部分１８４が生じている。また、更に下流側には、スリッターの切断刃が配される搬送路から糊付機ピンチロールへ至る角部に保持されたために凹部が形成されて糊付されない部分１８５と、搬送路へ至る角部に保持されたために凹部が形成されて糊付されない部分１８６とが生じている。
【００１８】
従って、このクロス片は、糊が均一に塗られておらず、結果的に壁紙ジョイント部の目透きや、あるいは経時による剥離を発生させるものであった。
【００１９】
本発明の目的は、上記問題点に鑑み、糊付機の駆動を暫く停止した際に、糊付ロールの上流側でクロスの波打ち現象が生じることのない壁紙糊付機を提供することにある。このうち、搬送路の角部によって糊付されない部分１８５、１８６は、搬送路の角部の曲率半径を大きくすることにより、改善されるため、特に、糊付ロールの頂部に当接した位置１８１から押さえロールが当接した位置１８２にかけて発生するクロスの波打ちを生じさせない壁紙糊付機を提供し、更に、押さえロールが当接した位置１８２の両側部に発生する略三角形状の凹部を生じさせない壁紙糊付機を提供する。
【課題を解決するための手段】
【００２０】
糊付機の駆動を暫く停止した際に、糊付ロールの上流側でクロスの波打ち現象が生じる。これは、クロスに大きな張力が掛かって上流側方向に引かれるためである。しかも、糊付ロールの頭頂部では、糊の転写に伴ってクロス自体が膨潤し、この膨潤によってクロスの幅方向に若干広がるために、クロスの中央部に波打ち現象が生じる。
【００２１】
このため、請求項１に記載された発明に係る自動壁紙糊付機は、糊付機本体の後部から引き入れたシート状壁装材を複数のロールによって前方へ搬送しながら前記壁装材の裏面に連続的に糊を塗布する壁紙糊付機であって、
駆動機構により回転駆動される糊付けロールと、この糊付けロールの壁装材搬送上流側で前記壁装材を糊付機本体内に後部側から取り込むための上下ピンチロールと、前記壁装材を糊付けロール表面に押し付けるために上から押さえる押さえロールとを備えた壁紙糊付機において、
前記押さえロールを、壁装材の厚みに応じて、薄手の壁紙に対応する第１高さ位置と、厚手の壁紙に対応する第２高さ位置とに選択的に保持する押さえロール保持手段を備えたことを特徴とするものである。
【００２２】
この押さえロール保持手段によって、押さえロールが壁装材の厚みに応じて押付けられ、薄手の壁紙の糊付に必要な張力を与える第１高さ位置と、厚手の壁紙の糊付に必要な張力を与える第２高さ位置とに選択的に切り替えることができるため、壁紙の厚みに応じて、適宜壁紙を糊付ロールに近接させることができるので、糊付状態を良好に保つことが可能である。
【００２３】
好ましくは、請求項２に記載された発明に係る自動壁紙糊付機は、請求項１に記載の押さえロール保持手段として、前記壁紙糊付機本体の両側構体の対向位置に配された押さえロール保持部材を含み、
この押さえロール保持部材が、
本体の両側構体の対向位置に各々形成された回動軸に各々軸支される支点部と、
この支点部から離れた位置で前記押さえロールの端部を各々保持する押さえロール保持部と、
前記第１高さ位置と第２高さ位置とで前記押さえロールを保持する高さ保持機構とを備えたことを特徴とするものである。
【００２４】
即ち、押さえロールを押さえロール保持部材で保持しつつ、押さえロール保持部材を支点部で回動して第１高さ位置と第２高さ位置とに保持する高さ保持機構を備えることにより、種々の厚みの壁紙と糊付ロールとを近接することができ、糊付状態を良好に保つことが可能である。
【００２５】
高さ保持機構としては、第１高さ位置と第２高さ位置とを各々個別の保持機構で保持しても良いが、押さえロール保持部材にその機構を組み込む方がメンテナンス等の面で好ましい。好ましい態様としては、請求項３に記載された発明に係る自動壁紙糊付機は、請求項２に記載の高さ保持機構として、前記本体の両側構体の対向位置に各々形成された支持軸を挿通する挿通孔を前記押さえロール保持部材に備え、
この挿通孔は、前記支持軸に対して上下方向に移動可能な前記支点部を中心とする円弧状の長孔であり、
この長孔の内側に前記支持軸に対して長孔の上端位置又は下端位置で係合する出入り自在のストッパーを備えたことを特徴とするものである。
【００２６】
以上のように、糊付ロールに至るクロスに掛かる張力を押さえロールの高さ位置を上げ下げすることにより、種々の厚みの壁紙と糊付ロールとを近接することができ、糊付状態を良好に保つことが可能である。
【００２７】
更に、休憩時等の糊付機の駆動を暫く停止する際には、クロスの両側部において、膨潤したクロスの幅方向へ広がる撓みが生じ、押さえロールが当接した位置の両側部には、略三角形状の糊付されない部分が生じる。この撓みを減少させる一つの好ましい態様としては、請求項４に記載された発明に係る自動壁紙糊付機は、請求項１〜３の何れか１項に記載の上下ピンチロールの両端部において、何れか一方のロールの端部を小径としてピンチ力を低減させたピンチロールを備えたことを特徴とするものである。
【００２８】
即ち、クロスの両側部に掛かる張力をなくすことにより、糊の転写に伴うクロス自体が膨潤し、この膨潤によるクロスの幅方向の広がりを逃すことが可能である。略三角形状の糊付されない部分としては、最大両側から２５ｃｍ程度であるため、更に好ましい態様としては、請求項５に記載された発明に係る自動壁紙糊付機は、請求項４に記載のピンチロールの小径部分が、端部から１８〜２５ｃｍであることを特徴とするものである。
【００２９】
また、押さえロールが当接した位置の両側部に形成される略三角形状の糊付されない部分を減少させる別の好ましい態様としては、請求項６に記載された発明に係る自動壁紙糊付機は、請求項１〜５の何れか１項に記載の押さえロールが、中央に小径部と、両端に大径部と、これら小径部と大径部と間にテーパー部とを備えたことを特徴とするものである。
【００３０】
尚、押さえロールが当接した位置の両側部に形成される略三角形状の糊付されない部分を減少させる２つの好ましい態様は、各々個別に配しても良いし、同時に配しても良い。
【発明の効果】
【００３１】
本発明は以上説明した通り、糊付機の駆動を暫く停止した際に、糊付ロールの上流側でクロスの波打ち現象が生じることのない壁紙糊付機を得ることができる。特に、糊付ロールの頂部に当接した位置から押さえロールが当接した位置にかけて発生するクロスの波打ちを生じさせない壁紙糊付機を得ることができる。更に、押さえロールが当接した位置の両側部に発生する略三角形状の凹部を生じさせない壁紙糊付機を得ることができるという効果がある。
【発明を実施するための最良の形態】
【００３２】
１．全体構成
図１は本発明の支持構造を備えた壁紙糊付機の側方構成を示す説明図である。図２は図１の壁紙糊付機本体の側方構成を示す説明図である。図３は本発明の押さえロール保持部材の一例の構成を示す説明図である。図４は本発明の押さえロール保持部材の別の例の構成を示す説明図である。図５は本発明の上ピンチロールの一例の構成を示す説明図である。図６は本発明の押さえロールの一例の構成を示す説明図である。図１に示す通り、壁紙糊付機は、糊付機本体１と、この糊付機本体１を載置する台座部２と、糊付機本体１を所定高さで支持するために台座部２の左右両端下部にそれぞれ前後に二本一対で配される前脚３１と後脚３２とで構成される脚部３とからなる。
【００３３】
一対の後脚３２には、クロス受けブラケット３３が回動自在に配されており、クロス受けブラケット３３の先端部には、原反ロールＲの中心に通されたクロス芯棒３４が軸支されている。原反ロールＲから繰り出される壁装材（クロス）Ｃは、後脚３２の折り畳み部３５に横架された第１テンションバー３６に当接して引き込み口での引き込み荷重が与えられる。
【００３４】
糊付機本体１は、糊桶６を主とする下部構体４とその上に開閉可能に載置される上部構体５とによって構成される。各ロールの回転に伴って糊付機本体１の後面側から前方へ搬送されてくるクロス裏面に回転しながら当接して連続的に糊を塗布する糊付けロール４１は、下部構体４の左右両側壁面の軸支板に、できるだけ糊桶６内に沈む下方位置の配置となるように軸支されている。また、糊桶６内の糊を回転によって掻き上げて糊付けロール４１に転写する糊上げロール６１は、糊桶６の両側側面に、中心より後面側寄りの位置で軸支されている。
【００３５】
糊付けロール４１は、糊付機本体１に着脱自在に取付けられる駆動源である電動モータを備えたコントローラ（図示せず）の回転軸に連結されている。糊桶６の側板に軸止された糊付けロール４１の回転軸は、下部構体４に配置される下ピンチロール４２、ドクターロール４３、均しロール４４及び上部構体５に配置される検尺ロールとして用いられる上ピンチロール５１、押さえロール５２、ドライブロール５３のうちの所定ロールの回転軸とギアを介して連動される。
【００３６】
糊付けロール４１の回転に伴って、ギアを介して回転運動が伝達された他のロールも回転し、上下部構体間に挟み込まれているクロスＣを後方から前方へ搬送し、その途中で糊付けロール４１上を搬送される際に糊桶６から引き上げられた糊がクロス裏面に転写塗布される。
【００３７】
また、糊付機本体１の後面側には、スリッター７を備える。スリッター７は、クロスＣを沿わせて搬送する搬送通路となるガイド面部７１と、このガイド面部７１への上流側とガイド面部７１の下流側にクロス全幅に亘ってガイド面部７１方向へ押圧された状態でガイド面部７１上にテンションをかけるように配置される２つのテンションバー７２，７３と、ガイド面部７１の側端部領域に各々回転刃７０とを備えている。尚、スリッター７の後背面部に設置されているのは、収納時にクロス芯棒３４、テンションバー３６等を保持するホルダー７４である。
【００３８】
ガイド面部７１は、スリッターの上下に亘って形成され、その下端縁部（即ち、壁装材搬送上流側縁部）と、上端縁部（即ち、壁装材搬送下流側縁部）とは、壁装材Ｃの搬送方向を曲折するための曲面部７７，７８を各々有している。各々の曲面部の曲率半径は１５ｍｍである。これは休憩時間等で壁装材Ｃを装着したまま暫く放置した場合にも、壁装材Ｃに山形の曲面部の跡が付いて糊付機によって糊付けムラが発生することを防止するためである。
【００３９】
スリッター７の下方（即ち、クロス搬送上流側）の第２テンションバー７２は、第１テンションバー３６と同様にクロスＣの全幅を超える長さの丸棒部材であり、第２テンションバー７２の両端部を支持する第２テンションバー回動部材７５により、開いた状態でクロスＣを装着することができ、クロスＣの両耳部を切断する際には、テンションをかけるようにスリッター下方に移動可能である。また、ガイド面部７１への上流側の第３テンションバー７３は、挟み込まれたクロスＣをガイド面部７１へ押付ける機構を備え、回転刃７０による切断の際にガイド面部７１からクロスＣが浮き上がることを防止すると共に、ガイド面部７１の下流側曲面７８と併せて糊付機本体へ引き込まれるクロスＣに良好なテンションをかけることができる。
【００４０】
２．押さえロールの構成
図２に示す通り、上部構体５に配置される押さえロール５２は、押さえロール保持手段としての一組の押さえロール保持部材８０に両端を各々保持されて配される。押さえロール保持部材８０の一例としては、図３に示す通り、上ピンチロール５１の両端部分に各々軸止される孔の支点部８１を一端部に備え、本体の両側構体の対向位置に各々形成された支持軸８６の一方に挿通される挿通孔としての長孔８２を他端部に備え、これら支点部８１と長孔８２との間に押さえロール５２の端部を保持する取付け孔の押さえロール保持部８３を備えている。
【００４１】
高さ保持機構としての長孔８２の外形は、支点部８１を中心とする円弧状の長孔であり、支持軸８６に対して上下方向に移動可能である。支持軸８６に対して上下方向に移動することにより、長孔８２の下端位置が押さえロール５２の押さえ位置を低くしてクロスＣに対して糊付けに必要な張力を与える第１高さ位置となり、長孔８２の上端位置が押さえロール５２の押さえ位置を高くして第１高さ位置での張力に対して低い張力をクロスＣに与える第２高さ位置となる。
【００４２】
長孔８２には、内側に支持軸８６に対して長孔８２の上端位置及び下端位置で係合するストッパーとしての突起８４を備えている。これは、長孔８２の側壁の一部にコ字状の切れ込み８５と、この切れ込み８５に囲まれた長孔内壁部分に突起８４とを形成し、切れ込み８５に囲まれた長孔内壁をバネ部材として使用している。即ち、支持軸８６に対して押さえロール保持部材８０の長孔８２を上端又は下端へ移動させると、切れ込み８５に囲まれた長孔内壁及び突起８４は支持軸８６に押されて外方へ移動し、長孔８２の他方へ移動すると元に戻ることとなる。
【００４３】
押さえロール保持部材８０は、切れ込み８５に囲まれた長孔内壁がバネ部材として変形と復元とが行われる材質であれば、金属製或いは樹脂製でもよい。
【００４４】
図３の押さえロール保持部材８０は、上ピンチロール５１の両端部分に各々軸止される支点部８１が、孔であったが、押さえロール保持部材及び押さえロールを着脱自在にすることも可能である。図４に示す押さえロール保持部材８０’は、図３の押さえロール保持部材８０と同じく上ピンチロール５１の両端部分に各々軸止されるが、支点部８１’が、孔の一部を切欠いた取付け構造を有している。
【００４５】
尚、他の長孔８２’ロール保持部８３’、突起８４’、コ字状の切れ込み８５’は図３の押さえロール保持部材８０と同じであるため、説明を省略する。
【００４６】
この押さえロール保持部材８０により、押さえロールを第１高さ位置と第２高さ位置とに保持することが容易に行うことができるため、種々の厚みの壁紙と糊付ロールとを近接することができ、糊付状態を良好に保つことが可能である。
【００４７】
３．ピンチロールの構成
図５に示す通り、本発明の壁紙糊付機の上ピンチロール５１は、搬送されるクロスと対面するロール部９３の両端部分に小径部９１が形成されている。小径部９１は中央部の大径部９２に比べて０．４３ｃｍ小さくなっている。即ち、上ピンチロール５１のピンチ力は、中央部の大径部９２が主に発揮し、両側の小径部９１のピンチ力は低減して殆どない状態となっている。
【００４８】
即ち、クロスの両端部に張力をなくすことにより、糊の転写に伴うクロス自体が膨潤し、この膨潤によるクロスの幅方向の広がりを逃すことが可能である。略三角形状の糊付されない部分としては、最大両側から２５ｃｍ程度であるため、上ピンチロールの小径部９１の長さは、ロール部９３の端部から２１ｃｍである。
【００４９】
このピンチロールの両側のピンチ力の低減は、上ピンチロールの両側部を小径にするだけでなく、下ピンチロール４２と組み合わせても達成可能である。例えば、下ピンチロールの両端部を小径とする場合、一方の端部は上ピンチロールを小径とし、他方の端部は下ピンチロールを小径としてもよい。また、図５の上ピンチロールでは小径部９１と大径部９２とを明確に区別したが、小径部９１と大径部９２とを緩やかに変化させてもよく、また、間にテーパー部を配してもよい。
【００５０】
このピンチロールの両側のピンチ力の低減によって、休憩時等の糊付機の駆動を暫く停止する際に発生するクロスの両側部の略三角形状の糊付されない部分が低減される。
【００５１】
４．押さえロールの構成
図６に示す通り、本発明の壁紙糊付機の押さえロール５２は、中央に小径部９５と、両端に大径部９７と、これら小径部９５と大径部９７と間にテーパー部９６とを備えている。これにより、押さえロール５２が当接した位置の両側部に形成される略三角形状の糊付されない部分を減少させることができる。
【００５２】
尚、押さえロールが当接した位置の両側部に形成される略三角形状の糊付されない部分を減少させるピンチロールの構成及び押さえロールの構成は、各々個別に配しても良いし、同時に配しても良い。
【図面の簡単な説明】
【００５３】
【図１】本発明の支持構造を備えた壁紙糊付機の側方内部構成を示す説明図である。
【図２】図１の壁紙糊付機本体の側方内部構成を示す説明図である。
【図３】本発明の押さえロール保持部材の一例の構成を示す説明図である。
【図４】本発明の押さえロール保持部材の別の例の構成を示す説明図である。
【図５】本発明の上ピンチロールの一例の構成を示す説明図である。
【図６】本発明の押さえロールの一例の構成を示す説明図である。
【図７】従来の自動壁紙糊付機の側方内部構成を示す説明図である。
【図８】波打ち現象等が生じたクロスの状態を模式的に示した説明図である。
【符号の説明】
【００５４】
１  …糊付機本体、
２  …台座部、
３  …脚部、
３１…前脚、
３２…後脚、
３３…クロス受けブラケット、
３４…クロス芯棒、
３５…折り畳み部、
３６…第１テンションバー、
４  …下部構体、
４１…糊付けロール、
４２…下ピンチロール、
４３…ドクターロール、
４４…均しロール、
５  …上部構体、
５１…上ピンチロール、
５２…押さえロール、
５３…ドライブロール、
６  …糊桶、
６１…糊上げロール、
７  …スリッター、
７０…回転刃、
７１…ガイド面部、
７２…第２テンションバー、
７３…第３テンションバー、
７４…ホルダー、
７５…第２テンションバー回動部材、
７７…曲面部、
７８…曲面部、
８０…押さえロール保持部材、
８１…支点部、
８２…長孔、
８３…押さえロール保持部、
８４…突起、
８５…コ字状の切れ込み、
８６…支持軸、
８０’…押さえロール保持部材、
８１’…支点部、
８２’…長孔、
８３’…押さえロール保持部、
８４’…突起、
８５’…コ字状の切れ込み、
８６’…支持軸、
９１…小径部、
９２…大径部、
９３…ロール部、
９５…小径部、
９６…テーパー部、
９７…大径部、
Ｒ  …原反ロール、
Ｃ  …クロス、
【図１】
2006001026.tif 000003
【図２】
2006001026.tif 000004
【図３】
2006001026.tif 000005
【図４】
2006001026.tif 000006
【図５】
2006001026.tif 000007
【図６】
2006001026.tif 000008
【図７】
2006001026.tif 000009
【図８】
2006001026.tif 000010